(57)【特許請求の範囲】
【請求項１】
設定条件または受信情報等を表示するための表示部を有し、フリップ式カバーを設けてなる双方向通信式のリモコン装置において、同カバーを同リモコン装置の背面側に回動させることにより、同カバーによって同リモコン装置を支え、立て置きできるようにしたことを特徴とするリモコン装置。
【請求項２】
前記カバーは、前記リモコン装置の下側部を軸にして回動可能に取付けられたものでなることを特徴とする請求項１記載のリモコン装置。
【請求項３】
前記表示部に表示される設定条件または受信情報等のうち、主要な内容を拡大表示に切換えるための表示切換部と、前記リモコン装置を立て置きにすることで作動するスイッチとを設け、同リモコン装置を立て置きすることにより、同スイッチの作動により同表示切換部の切換えを行い、同表示部にて前記拡大表示がなされるようにしたことを特徴とする請求項１または２記載のリモコン装置。
【請求項４】
前記スイッチを前記リモコン装置の下側面に設け、前記カバーを同リモコン装置の背面側に回動することにより同スイッチが押されて作動するようにしたことを特徴とする請求項２または３記載のリモコン装置。
【請求項５】
前記カバーの、前記リモコン装置の背面側への回動にて床面に接する箇所に滑り止めを設け、同リモコン装置の立て置き時に安定度が得られるようにしたことを特徴とする請求項１、２、３または４記載のリモコン装置。
【発明の詳細な説明】
【０００１】
【発明の属する技術分野】
本発明は双方向通信式の空気調和機のリモコン装置に係り、設定条件や受信された空気調和機からの運転情報等を見やすくするものに関する。
【０００２】
【従来の技術】
双方向通信式の空気調和機のリモコン装置では、運転モード、温度、風量等を設定し、運転／停止ボタンを操作して設定されたデータを赤外線信号で空気調和機に向けて送信し、空気調和機はリモコン装置からの赤外線信号を受信し、設定された条件で運転を行い、その時々の運転情報を赤外線信号で送信し、この赤外線信号をリモコン装置で受信し、表示部に運転情報を表示する。しかし、リモコン装置は常に手元にあるとは限らず、しかも、机上等に置かれるため、少し離れていると表示部が見えにくく、設定条件や運転情報等がよく見えない、という問題があった。
【０００３】
【発明が解決しようとする課題】
本発明はこのような点に鑑み、リモコン装置を立てて置けるようにし、設定条件や受信された運転情報等を見やすくすることを目的とする。
【０００４】
【課題を解決するための手段】
上記目的を達成するため、本発明は、設定条件または受信情報等を表示するための表示部を有し、フリップ式カバーを設けてなる双方向通信式のリモコン装置において、同カバーを同リモコン装置の背面側に回動させることにより、同カバーによって同リモコン装置を支え、立て置きできるようにする。
【０００５】
なお、前記カバーは、前記リモコン装置の下側部を軸にして回動可能に取付けるようにする。
【０００６】
また、前記表示部に表示される設定条件または受信情報等のうち、主要な内容を拡大表示に切換えるための表示切換部と、前記リモコン装置を立て置きにすることで作動するスイッチとを設け、同リモコン装置を立て置きすることにより、同スイッチの作動により同表示切換部の切換えを行い、同表示部にて前記拡大表示がなされるようにする。
【０００７】
そして、前記スイッチを前記リモコン装置の下側面に設け、前記カバーを同リモコン装置の背面側に回動することにより同スイッチが押されて作動するようにする。
【０００８】
なお、前記カバーの、前記リモコン装置の背面側への回動にて床面に接する箇所に滑り止めを設け、同リモコン装置の立て置き時に安定度が得られるようにする。
【０００９】
【発明の実施の形態】
発明の実施の形態を実施例に基づき図面を参照して説明する。
図１は本発明によるリモコン装置の一実施例の要部斜視図で、図の１はリモコン装置で、２は液晶パネルで構成した表示部、３〜５は設定ボタンで、３は電源オン／オフ用、４および５は各種設定用、６（６′）はカバー、７はカバー６の回動機構で、リモコン装置１の下側部を軸にしてカバー６を回動する。８は滑り止めである。
【００１０】
リモコン装置１は双方向通信式で、例えば、空気調和機の遠隔制御用のもので、設定ボタン５の操作で運転モード（暖房、冷房、除湿等）を設定し、設定ボタン４の操作で温度、湿度等を設定すれば、これらの設定条件は表示部２の画面に表示され、電源用ボタン３のオンで設定された制御コードが赤外線信号で送信され、空気調和機の運転が始まる。空気調和機からは運転情報が赤外線信号で送信され、これをリモコン装置１で受信し、表示部２の画面に表示する。カバー６はフリップ式で、回動機構７によって矢印の如くにリモコン装置１の背面側に６′の位置まで回動可能で、このカバー６′を支えにしてリモコン装置１を立て置きに載置することができ、表示部２が液晶パネルのため斜め方向からは見えにくかった画面が見やすいものとなる。なお、カバー６の先端部に設けた滑り止め８と床面との摩擦でリモコン装置１は滑りにくくなり、安定する。
【００１１】
図２の部分側面図に示すように、リモコン装置１の下側部にスイッチ11を設ける。スイッチ11はリモコン装置１を立て置きすることにより床面で押されて作動し、表示部２の画面が、例えば、図３に示す如く、（Ａ）の通常表示から（Ｂ）の主要部拡大表示に切換わるようにする。これにより、リモコン装置１が手元から離れていても、例えば、室温は何度か、空気清浄運転を行っているかどうか等、主要な設定条件あるいは受信された主要な運転情報を見やすくすることができる。なお、カバー６を矢印のようにリモコン装置１の背面側に回動することでスイッチ11がカバー６で押されて作動するようにしてもよい。
図４は本発明によるリモコン装置の一実施例の要部ブロック図で、設定ボタン３〜５の操作で設定された設定条件は制御部25によりコード信号となり、送信部21より赤外線信号で空気調和機に送信され、設定に応じた運転が行われる。空気調和機から送信される運転情報等の赤外線信号は受信部22で受信され、制御部25を介し一旦メモリ部23に記憶し、制御部25を介してこれを読出し、表示切換部24を経て表示部２に、図３（Ａ）の如くに通常表示されるが、この表示は、スイッチ11のオンにて、表示制御部24により図３（Ｂ）の如くに主要項目が拡大されて表示されるように切換わる。
【００１２】
なお、上記では、対象が空気調和機の場合で説明したが、映像機器、音響機器等、リモコン装置で制御される機器であれば、これらに対しても同様に対応することができる。
【００１３】
【発明の効果】
以上に説明したように、本発明によるリモコン装置によれば、リモコン装置を立て置きできるようにしたので、液晶パネルに表示される設定条件や受信された運転情報等が見やすいものとなり、しかも、立て置きにすることにより表示部に主要項目が拡大表示されるので、手元から離れていても主な情報を容易に知ることができ、かつ、フリップ式のカバーを回動させて支えにして立て置きにするものであるから、部品点数を増やす必要がなくコストの上昇を招かない。
【図面の簡単な説明】
【図１】本発明によるリモコン装置の一実施例の要部斜視図である。
【図２】スイッチ11部分の要部側面図である。
【図３】表示部の通常表示および主要部拡大表示の一例である。
【図４】本発明によるリモコン装置の一実施例の要部ブロック図である。
【符号の説明】
１  リモコン装置
２  表示部
３  設定ボタン（電源用）
４、５  設定ボタン
６  カバー
７  回動機構
８  滑り止め
11  スイッチ
21  送信部
22  受信部
23  メモリ部
24  表示切換部
25  制御部
【図１】
0004385514.tif 000002
【図２】
0004385514.tif 000003
【図３】
0004385514.tif 000004
【図４】
0004385514.tif 000005